(57)【要約】【課題】車両用化粧ポーチに関し、簡素な構成で車内での化粧作業性及び利便性を向上させる。【解決手段】車両のサンバイザー９に対して外袋２を着脱自在に取り付ける。外袋２の内部にバッグインバッグ形式で内袋３を収容する。内袋３の内部に複数のポケット４を列設し、複数の化粧用具１１をポケット４に収納する。各々のポケット４に対して少なくとも一つずつ対応するように複数の接続具５を配置し、内袋３の内部と化粧用具１１との間を伸縮可能に接続する。【選択図】図２
2019048500.tif 000002
【特許請求の範囲】
【請求項１】
車両のサンバイザーに対して着脱自在に取り付けられる外袋と、
前記外袋の内部にバッグインバッグ形式で収容される内袋と、
前記内袋の内部に列設されて複数の化粧用具が収納される複数のポケットと、
各々の前記ポケットに対して少なくとも一つずつ対応するように配置され、前記内袋の内部と前記化粧用具との間を伸縮可能に接続する複数の接続具と、
を備えたことを特徴とする、車両用化粧ポーチ。
【請求項２】
前記接続具が、前記内袋の内部及び前記化粧用具の各々に接続されるワイヤーと、前記ワイヤーの中途に介装されて前記ワイヤーを巻き取る機能を持った巻取装置とを有する
ことを特徴とする、請求項１記載の車両用化粧ポーチ。
【請求項３】
前記巻取装置が、前記ワイヤーの長さを任意の長さで固定するロック機能を併せ持つ
ことを特徴とする、請求項２記載の車両用化粧ポーチ。
【請求項４】
前記接続具が、前記化粧用具に接続される端部に固定され前記化粧用具に巻着されるゴムベルトを有する
ことを特徴とする、請求項１〜３のいずれか１項に記載の車両用化粧ポーチ。
【請求項５】
前記接続具のうち前記化粧用具に接続される側が、二股に分岐した形状に形成される
ことを特徴とする、請求項１〜４のいずれか１項に記載の車両用化粧ポーチ。
【請求項６】
前記内袋が、面状の外装材を二つ折りにして縁部をファスナーで留めた構造を有する
ことを特徴とする、請求項１〜５のいずれか１項に記載の車両用化粧ポーチ。
【発明の詳細な説明】
【技術分野】
【０００１】
本発明は、車両乗員の化粧作業に好適な車両用化粧ポーチに関する。
【背景技術】
【０００２】
従来、車両のサンバイザーに面ファスナーを取り付け、車両の装備品を着脱可能とする技術が提案されている。面ファスナーとは、布や合成繊維で着脱自在に形成された一対の面状部材である。一方の面状部材の表面には微小な環構造（ループ）が多数形成され、他方の表面には微小な鉤構造（フック）が多数形成される。環構造と鉤構造とを軽く接触させることでこれらが係合し、両者を簡単に結合させることができる。また、鉤構造が変形する程度の力で両者を引き剥がすことで、簡単に分離させることもできる。このような装備品の具体例としては、小物収納用品，ペットボトル保持ベルト，サングラスホルダーなどが挙げられる（特許文献１参照）。
【０００３】
近年では、女性ドライバーの増加を踏まえて、マイカー通勤中のちょっとした空き時間（信号や踏切の待ち時間）を利用した手軽な身繕いができるような、利便性の高い車室内空間を設計することが要求されている。例えば、サンバイザーに折りたたみ式のミラーカバーを取り付け、コンタクトレンズのケースや化粧品の置き場として活用させることが検討されている（特許文献２参照）。このような構造により、ミラーを見ながら実施する作業（コンタクトレンズの付け外し作業や化粧作業など）が容易となり、車室内空間の利便性を高めることができる。
【先行技術文献】
【特許文献】
【０００４】
【特許文献１】特開2003-165395号公報
【特許文献２】特開2014-088180号公報
【発明の概要】
【発明が解決しようとする課題】
【０００５】
ところで、一般的な化粧作業では、ファンデーションや口紅，アイライナー，マスカラといった多種多様な化粧用具が使用され、これらの化粧用具はまとめて一つの化粧ポーチに収納されて携行されることが多い。そのため、サンバイザーに化粧ポーチを取り付けられるようになっていれば、車室内で様々な化粧作業を手軽に実施することが可能となる。しかしながら、車両走行中の加速度変化や車体振動によって化粧品の配置が化粧ポーチ内で乱れてしまうと、使いたい化粧用具を探し出すのに時間がかかり、化粧作業性が低下する。また、化粧中に誤って手を滑らせ、化粧用具がシート下に転がり落ちることも考えられる。この場合、化粧作業を中断せざるを得ず、化粧用具の捜索やシート下からの取り出しに多大な労力を費やすことがある。
【０００６】
本発明の目的は、上記のような課題に鑑みて創案されたものであり、簡素な構成で車内での化粧作業性及び利便性を向上させることのできる車両用化粧ポーチを提供することである。なお、この目的に限らず、後述する「発明を実施するための形態」に示す各構成から導き出される作用効果であって、従来の技術では得られない作用効果を奏することも、本件の他の目的として位置付けることができる。
【課題を解決するための手段】
【０００７】
（１）開示の車両用化粧ポーチは、車両のサンバイザーに対して着脱自在に取り付けられる外袋と、前記外袋の内部にバッグインバッグ形式で収容される内袋とを備える。また、前記内袋の内部に列設されて複数の化粧用具が収納される複数のポケットと、各々の前記ポケットに対して少なくとも一つずつ対応するように配置され、前記内袋の内部と前記化粧用具との間を伸縮可能に接続する複数の接続具とを備える。
【０００８】
（２）前記接続具が、前記内袋の内部及び前記化粧用具の各々に接続されるワイヤーと、前記ワイヤーの中途に介装されて前記ワイヤーを巻き取る機能を持った巻取装置とを有することが好ましい。
（３）前記巻取装置が、前記ワイヤーの長さを任意の長さで固定するロック機能を併せ持つことが好ましい。
（４）前記接続具が、前記化粧用具に接続される端部に固定され前記化粧用具に巻着されるゴムベルトを有することが好ましい。
【０００９】
（５）前記接続具のうち前記化粧用具に接続される側が、二股に分岐した形状に形成されることが好ましい。
なお、二股に分岐した一方は、化粧用具のうち化粧料を収容する本体に接続され、二股に分岐した他方は、本体に嵌装されるキャップに接続されることが好ましい。これにより、前記本体と前記キャップとが常に前記接続具で繋がった状態となる。
【００１０】
（６）前記内袋が、面状の外装材を二つ折りにして縁部をファスナーで留めた構造を有することが好ましい。
なお、前記接続具の具体例としては、チェーン，ワイヤー，紐，ゴム紐，ロープなどが挙げられる。また、前記化粧用具の具体例としては、ファンデーションブラシ，口紅，アイライナー，マスカラブラシなどが挙げられる。また、前記接続具の数は前記ポケットの数と同数であることが好ましい。つまり、一つの前記化粧用具に対して一本の前記接続具が対応するように配置され、一つの前記ポケットに一つの前記化粧用具を収納することが好ましい。
【発明の効果】
【００１１】
バッグインバッグ形式の内袋に複数のポケットを設け、各ポケットに接続具を設けて化粧用具と接続することで、内袋上でのポケットの配列と化粧用具の配列との対応関係を保ったまま、内袋を外袋の内部に収容することができる。また、内袋の内側と化粧用具との間を接続具で繋ぐことで、車内での化粧用具の散乱，紛失を防止することができる。したがって、車内での化粧作業性及び利便性を向上させることができる。
【図面の簡単な説明】
【００１２】
【図１】サンバイザー付きの車両の斜視図である。
【図２】化粧ポーチ及びサンバイザーを示す斜視図である。
【図３】化粧ポーチの内袋の構造を示す斜視図である。
【図４】化粧用具及び接続具を示す斜視図である。
【発明を実施するための形態】
【００１３】
［１．構成］
以下、図面を参照して実施形態として車両用化粧ポーチ１について説明する。図１に示す車両１０には、車両用化粧ポーチ１の取り付けが可能なサンバイザー９が設けられる。サンバイザー９は、運転者や助手席搭乗者の顔に夕日や朝日が直射しないように影を形成するための日除けであり、車両１０の運転席，助手席の前方かつ上方に一対配置される。図２に示すように、本実施形態のサンバイザー９は、バックミラー２４を挟んでその左右に一つずつ配置される。各サンバイザー９は、軸部材をＬ字状に屈曲してなる支持軸２１とこれに揺動自在に支持される遮光板２２とを有する。
【００１４】
支持軸２１は、車体に対する遮光板２２の姿勢（位置や傾斜角度）を可変としつつ、遮光板２２を支持する機能を持つ。また、遮光板２２の姿勢は、車体に対して二つの回転軸を中心として揺動可能（回転可能）とされる。第一の回転軸は水平方向に延在する回転軸であり、第二の回転軸は鉛直上下方向に延在する回転軸である。Ｌ字状に屈曲した支持軸２１のうち、水平方向に延在する部位が前者として機能し、鉛直上下方向に延在する部位が後者として機能する。例えば、支持軸２１と遮光板２２との接触面が前者の摺動面となり、支持軸２１と車体との接触面が後者の摺動面となる。
【００１５】
車室内の天井面には、支持軸２１を係止するための金具２３が設けられる。金具２３の位置は、支持軸２１のうち水平方向に延在する部位が一時的に係止されうる位置に設定される。支持軸２１を金具２３に引っ掛けることで、鉛直上下方向に延在する回転軸を中心とした回転（旋回動作）が拘束される。これにより、遮光板２２の板面が天井面に沿った姿勢（収納姿勢，日除けとして使用していない状態）と、遮光板２２の板面が鉛直に立設した姿勢（立設姿勢，日除けとして使用している状態）との間でサンバイザー９を揺動させる操作が容易となる。また、支持軸２１を金具２３から取り外せば、サンバイザー９の旋回動作が許容される。これにより、例えば左右方向からの直射を遮りたい場合に、遮光板２２の板面がサイドウィンドウに沿った姿勢となるようにサンバイザー９を揺動させる操作が可能となる。
【００１６】
サンバイザー９の裏面（収納姿勢における上面側）には、補助ミラー２５（バニティーミラー）が設けられるとともに、車両用化粧ポーチ１が着脱自在とされる。車両用化粧ポーチ１が取り付けられる位置は、少なくとも乗員側から見て補助ミラー２５が隠れない位置に設定される。車両用化粧ポーチ１を着脱自在に取り付けるための具体的な構造は任意であり、例えば面ファスナーを用いてもよい。本実施形態の車両用化粧ポーチ１は、図２に示すように、遮光板２２の周面にアジャスター２８付きのベルト２６を巻回してバックル２７を係合させることで、サンバイザー９に対して着脱自在とされる。
【００１７】
車両用化粧ポーチ１は、外袋２と内袋３とを備える。外袋２は、サンバイザー９に固定される収納鞄である。一方、内袋３は、化粧用具１１が収納されるやや小ぶりの収納鞄であり、外袋２の内部にバッグインバッグ形式で収納される。化粧用具１１の具体例としては、ファンデーションブラシ，口紅１２，アイライナー１５，マスカラブラシ１８などが挙げられる。外袋２は、少なくとも一つの内袋３を内部に収容しうる大きさに形成される。好ましくは、複数の内袋３を収容しうる大きさに形成される。また、内袋３が外袋２の内部にしっかりと固定されるように、外袋２の内面と内袋３の外面との各々に面ファスナーを取り付けてもよい。
【００１８】
外袋２，内袋３の開閉構造に関して、外袋２，内袋３の開口部の向きはサンバイザー９の姿勢に応じて変化する。そのため、車両用化粧ポーチ１をサンバイザー９に取り付けたときに内容物が意図せず落下するようなことがない程度に、開口部が閉鎖される構造とすることが好ましい。一方、開口部が小さすぎると、内容物を収納する作業や内容物を確認するのに不便となってしまう。したがって、内容物の出し入れの作業性や閲覧性を考慮して、できるだけ大きく開放されるようにすることが好ましい。
【００１９】
本実施形態の外袋２，内袋３は、ともに内部がほぼ完全に開放されるように設けられた外袋ファスナー３２，内袋ファスナー３３を有する。外袋２，内袋３の形状を直方体に準えれば、頂面とこれに隣接して対向する二つの側面との三面にわたって、外袋ファスナー３２，内袋ファスナー３３が配設される。換言すれば、外袋ファスナー３２，内袋ファスナー３３は、平面状の外装材を二つ折りにしたときに、折り線を除いて縁部となる部位に沿って配置される。また、外袋２，内袋３の全体形状をシステム手帳に準えれば、のどの部位が折り線に相当し、小口及び天地の三辺に沿って外袋ファスナー３２，内袋ファスナー３３が延設される。
【００２０】
なお、具体的な開閉構造はファスナーによるものに限定されることはなく、例えばファスナーの代わりにゴムや紐による開閉構造（巾着袋の開閉構造）としてもよい。あるいは、係合部材による開閉構造（がま口袋の開閉構造）としてもよいし、面ファスナーによる開閉構造としてもよい。少なくとも、外袋２の開口部は内袋３を内部に収容しうる大きさであればよく、内袋３の開口部はその内部を大きく開放しうる大きさであればよい。
【００２１】
内袋３の内部には、複数の化粧用具１１が収納される複数のポケット４と、複数の接続具５とが設けられる。ポケット４は、収納された化粧用具１１を整然と配置して固定するための固定具として機能し、複数のポケット４が内袋３の内部に列設される。本実施形態の内袋３の内部構造を図３に例示する。上述の通り、内袋３は、平面状の外装材を二つ折りにした上で、その縁部を内袋ファスナー３３で留めた構造を有する。これにより、内袋ファスナー３３を開いたときに内袋３の全体が平面状となり、化粧用具１１の一覧性が向上する。
【００２２】
また、外装材の表面上において内袋ファスナー３３の始点と終点とを最短距離で結ぶラインが、内袋ファスナー３３を閉じたときの折り線となる。本実施形態におけるポケット４の列設方向（ポケット４が連なる方向）は、この折り線と平行な方向とされる。これにより、内袋ファスナー３３を閉じたときに内袋３の内部に収納される全ての化粧用具１１が、折り線に沿った姿勢で整列する。
【００２３】
ここで、図３中に示される複数のポケット４のうち、折り線よりも右側に列設されたものを右ポケット列３４と呼び、折り線よりも左側に列設されたものを左ポケット列３５と呼ぶ。右ポケット列３４に含まれるポケット４は、左ポケット列３５に含まれるポケット４よりも幅広に形成される。これにより、右ポケット列３４には、化粧用具１１のうち比較的に径の太いもの（口紅１２など）が収納される。また、左ポケット列３５には、比較的径の細いもの（アイライナー１５，マスカラブラシ１８など）が収納される。
【００２４】
本実施形態では、図３に示すように、右ポケット列３４の開口方向（右ポケット列３４に差し込まれる化粧用具１１を基準とした上方向）が折り線の方向に設定される。一方、左ポケット列３５の開口方向は折り線とは逆の方向に設定される。これにより、内袋３を折り畳んだときに、右ポケット列３４に収納されている化粧用具１１と左ポケット列３５に収納されている化粧用具１１とが干渉しにくくなる。したがって、化粧用具１１が収納された内袋３の厚みを削減しやすく、内袋３の美観や携行性が向上する。
【００２５】
接続具５は、内袋３の内部と化粧用具１１との間を伸縮可能に接続する部材であり、各々のポケット４に対して少なくとも一つずつ対応するように配置される。ポケット４のサイズが化粧用具１１と比較して大きい場合には、一つのポケット４に対して二つ以上の接続具５を設けてもよい。一方、化粧用具１１の一覧性を考慮すると、接続具５の数はポケット４の数と同数であることが好ましい。つまり、一つの化粧用具１１に対して一本の接続具５が対応するように配置され、一つのポケット４に一つの化粧用具１１を収納することが好ましい。なお、接続具５の具体例としては、チェーン，ワイヤー，紐，ゴム紐，ロープなどが挙げられる。
【００２６】
本実施形態の接続具５は、ワイヤー６及び巻取装置７を有する。ワイヤー６は、内袋３の内部と化粧用具１１の各々とに接続される線状部材である。巻取装置７は、ワイヤー６の中途に介装されて、ワイヤー６を巻き取る機能を持ったワインダー装置である。巻取装置７の内部には、巻回された状態で収納されている余長分のワイヤー６，渦巻バネ，ロックラチェットなどが内蔵される。また、この巻取装置７は、ワイヤー６の長さを任意の長さで固定するロック機能を併せ持つ。
【００２７】
例えば、ワイヤー６の先端を巻取装置７から引き出す方向に引っ張ることで、余長分のワイヤー６が巻取装置７から繰り出され、ワイヤー６のトータルの長さが伸張する。また、ワイヤー６の引き出しを止めると、その長さ（任意の長さ）でワイヤー６の長さを固定するロック機能が発動する。さらに、ワイヤー６を最大まで引き出してから手を離すと、ロック機能が解除されてワイヤー６が当初の長さまで巻き取られる。あるいは、ボタン操作によりワンタッチでロック機能が解除されるようにする。このような機能を実現するための具体的な構造としては、公知の巻取構造（例えば実開昭63-107374など）を適用することができる。
【００２８】
ワイヤー６の化粧用具１１が接続される側（内袋３に接続される側の反対側）は、二股に分岐した形状に形成されるとともに、各々の端部（先端部）にゴムベルト８が設けられる。ゴムベルト８は、ワイヤー６の端部に化粧用具１１を着脱自在に固定するための固定具であり、環状の弾性体で形成されて化粧用具１１に巻着される。二股に分岐したワイヤー６の端部の一方は、化粧用具１１の本体（化粧用を収容する容器）に取り付けられ、他方は、本体に嵌装されるキャップに取り付けられる。
【００２９】
例えば、口紅１２の場合には、図４に示すように、一方が口紅本体１３に取り付けられ、他方が口紅キャップ１４に取り付けられる。また、図３中に示すように、アイライナー１５の場合には、アイライナー本体１６とアイライナーキャップ１７との各々にワイヤー６が接続され、マスカラブラシ１８の場合には、マスカラ本体１９とマスカラキャップ２０との各々にワイヤー６が接続される。一本のワイヤー６に連結された一対のゴムベルト８の間の距離は、少なくとも化粧用具１１のキャップを本体から取り外せる程度の長さがあればよい。
【００３０】
［２．作用，効果］
（１）上記の車両用化粧ポーチ１では、バッグインバッグ形式の内袋３に複数のポケット４が設けられ、ポケット４に化粧用具１１が整然と配列される。このような構造により、内袋３上でのポケット４の配列と化粧用具１１の配列との対応関係を保ったまま、内袋３を外袋２の内部に収容することができる。また、内袋３がバッグインバッグ形式となっていることから、例えば降車時に内袋３のみを取り出して化粧室へ赴く、といった使い方も可能である。
【００３１】
また、内袋３の内側と化粧用具１１との間を接続具５で接続し、各化粧用具１１を各ポケット４に収納することで、車内での化粧用具１１の散乱，紛失を防止することができる。特に、一つのポケット４に対して一つの化粧用具１１を収容させれば、化粧用具１１同士の接触による破損やキズの発生を防止することができる。したがって、車内での化粧作業性，利便性を向上させることができる。
【００３２】
（２）上記の接続具５には、ワイヤー６と巻取装置７とが設けられるため、化粧が必要なときに必要な化粧用具１１だけを引き出して使用できるとともに、その化粧用具１１を使い終わったらワイヤー６を自動的に巻き取らせて収納しやすくすることができる。したがって、車内での化粧作業性や利便性をさらに向上させることができる。
（３）また、ワイヤー６の長さを任意の長さで固定するロック機能を併せ持つ巻取装置７を用いた場合には、化粧用具１１を引き出したときに手を離したとしても、ワイヤー６が自動的に巻き取られることがなくなり、化粧作業性，利便性をさらに向上させることができる。
【００３３】
（４）上記のワイヤー６の端部には、化粧用具１１に巻着される弾性体のゴムベルト８が固定される。これにより、任意径の化粧用具１１をワイヤー６にしっかりと留めることができ、利便性をさらに向上させることができる。なお、化粧用具１１とワイヤー６との接続には、接着剤やシールを用いることも考えられる。しかしこの場合、化粧用具１１を交換する際に糊が化粧用具１１に残留することがある。これに対し、ゴムベルト８を用いれば糊が残留することがなく、化粧用具１１の美観を維持することができる。
【００３４】
（５）上記のワイヤー６の端部は二股に分岐した形状に形成されており、化粧用具１１の本体とキャップとの各々にワイヤー６が接続される。このような接続構造により、化粧用具１１の本体とキャップとを常に繋いでおくことができ、化粧中にキャップが散乱，紛失するのを防止することができる。また、誤って手を滑らせたとしても、化粧用具１１がシート下に転がり落ちることがないため、化粧作業性，利便性をさらに向上させることができる。
【００３５】
（６）上記の外袋２は、平面状の外装材を二つ折りにして縁部を外袋ファスナー３２で留めた構造を有する。同様に内袋３は、平面状の外装材を二つ折りにして縁部を内袋ファスナー３３で留めた構造を有する。これにより、例えば図３に示すように、内袋ファスナー３３を開いたときに内袋３の全体を平面状に広げることができ、各ポケット４に収納された化粧用具１１の一覧性，閲覧性を向上させることができる。また、外袋２の全体を平面状に広げることも可能であり、内袋３の収納状態や他の収容物などを容易に確認することができる。したがって、内袋３に収納すべき化粧用具１１の選択作業や化粧用具１１の収納作業が容易となり、化粧作業性，利便性をさらに向上させることができる。また、外袋２，内袋３の内部の片付けや清掃作業も容易であり、利便性をさらに向上させることができる。
【００３６】
［３．変形例］
上記の実施形態はあくまでも例示に過ぎず、本実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００３７】
例えば、上述の実施形態では一つの内袋３が外袋２に収容される実施例を示したが、複数の内袋３を収容させてもよい。この場合、化粧用具１１の種類ごとに異なる内袋３を用意すれば、利便性をさらに向上させることができる。また、内袋３をあらかじめ数種類用意しておき、利用シーンに応じて異なる内袋３を使用するようにしてもよい。例えば、昼間用の化粧用具１１と夜間用の化粧用具１１とを用意し、外出時間に応じてこれらを使い分けてもよい。
【符号の説明】
【００３８】
１  車両用化粧ポーチ
２  外袋
３  内袋
４  ポケット
５  接続具
６  ワイヤー
７  巻取装置
８  ゴムベルト
９  サンバイザー
１０  車両
１１  化粧用具
【図１】
2019048500.tif 000003
【図２】
2019048500.tif 000004
【図３】
2019048500.tif 000005
【図４】
2019048500.tif 000006